(57)【要約】【課題】無線通信技術を利用し音声信号の送受信を行ない、携帯端末に対しマスターモードおよびスレーブモードのいずれかの動作モードを切換えることができ、複数のスレーブとなりうる機器と無線通信を行なうことができる無線通信端末装置およびその制御方法を提供する。【解決手段】無線通信技術を利用し音声信号の送受信を行ない、携帯端末４に対しマスターモードおよびスレーブモードのいずれかの動作モードで無線通信を行なう親機２と子機３からなる無線通信端末装置１であって、子機３および携帯端末４と双方向の音声通信を行なう無線通信部６と、携帯端末４のマスター／スレーブ切換え機能の有無に応じてマスターモードとスレーブモードのいずれかの動作モードを切換えるマスター／スレーブ切換え部１４と、子機３や携帯端末４の登録情報を記憶する登録情報記憶部１１とを有すことで、複数のスレーブとなる無線通信端末と無線通信をすることができる。【選択図】図１
2006197452.tif 000002
【特許請求の範囲】
【請求項１】
無線通信技術を利用し音声信号の送受信を行なうと共に、携帯端末に対しマスターモードおよびスレーブモードのいずれかの動作モードで無線通信を行なう親機と子機からなる無線通信端末装置であって、子機および携帯端末と双方向の音声通信を行なう無線通信部と、携帯端末のマスター／スレーブ切換え機能の有無に応じて携帯端末との無線通信においてマスターモードとスレーブモードのいずれかの動作モードを切換えるマスター／スレーブ切換え部と、子機や携帯端末の登録情報を記憶する登録情報記憶部とを親機に備えた無線通信端末装置。
【請求項２】
前記子機を複数備えた請求項１に記載の無線通信端末装置。
【請求項３】
無線通信技術を利用し音声信号の送受信を行なうと共に、携帯端末に対しマスターモードおよびスレーブモードのいずれかの動作モードで無線通信を行なう親機と子機からなる無線通信端末装置において、子機および携帯端末と双方向の音声通信を行なう無線通信ステップと、携帯端末のマスター／スレーブ切換え機能の有無に応じて携帯端末との無線通信においてマスターモードとスレーブモードのいずれかの動作モードを切換えるマスター／スレーブ切換えステップと、子機や携帯端末の登録情報を記憶する登録情報記憶ステップとを親機で行なう無線通信端末装置制御方法。
【発明の詳細な説明】
【技術分野】
【０００１】
本発明は、無線通信技術を利用し音声信号の送受信を行なうと共に、携帯端末に対しマスターモードおよびスレーブモードのいずれかの動作モードを切換えを行なうことができ、複数のスレーブとなりうる機器と無線通信を行なうことができる無線通信端末装置およびその制御方法に関するものである。
【背景技術】
【０００２】
従来、ブルートゥースの通信規格に準拠した無線通信端末装置は、所定のキー操作によってマスターモードとスレーブモードの切換えを行ない通信を行なうことができるものであった。
【０００３】
図５は従来の無線通信端末装置のブロック図である。
【０００４】
図５で、携帯電話機５１において、ＣＰＵ５７（制御手段）には、電話通信に係る通信処理を行なう電話通信部５８と、マイクロホン５２が入力した送話音声およびスピーカ５３が出力する受話音声の音声処理（符号化処理、復号化処理など）を行なう音声処理部５６と、通話を開始するための「通話開始」キーと通話を終了するための「通話終了」キーと電話番号を入力するための「０」〜「９」の「数字」キーなどの多数のキーを配設しているキーパッド５４（操作手段）と、発信者電話番号などを表示するディスプレイ５５（報知手段）およびメモリダイヤル情報などを記憶するメモリ６０を接続している。
【０００５】
また、ＣＰＵ５７には後述するハンズフリー装置６１との間のブルートゥースの通信規格に準拠した通信に係る通信処理を行なうブルートゥース通信部５９（通信手段）をも接続している。
【０００６】
なお、携帯電話機５１は、例えばリチウム電池などの二次電池（図示せず）から供給される電力を駆動電力とする。
【０００７】
ハンズフリー装置６１は、自動車の車室内に搭載されるもので、ハンズフリー装置６１において、ＣＰＵ６３（制御手段）には、マイクロホン６５が入力した送話音声およびスピーカ６６が出力する受話音声の音声処理（符号化処理、復号化処理など）を行なう音声処理部６４と、通話を開始するための「通話開始」キーと通話を終了するための「通話終了」キーと通話を保留するための「保留」キーなどのキーを配設してなる操作スイッチ６７を接続している。
【０００８】
また、ＣＰＵ６３には、上記した携帯電話機５１との間のブルートゥースの通信規格に準拠した通信に係る通信処理を行なうブルートゥース通信部６２（通信手段）をも接続している。
【０００９】
なお、ハンズフリー装置６１は、自動車に搭載されているバッテリー（図示せず）から供給される電力を駆動電力とする（例えば特許文献１参照）。
【００１０】
次に動作について説明すると、ブルートゥースの通信規格に準拠した通信では、マスターおよびスレーブという概念が存在するという事情から、携帯電話機５１におけるブルートゥース通信部５９およびハンズフリー装置６１におけるブルートゥース通信部６２は、他の通信機器に対してマスター機器として作用するマスターモードおよび他の通信機器に対してスレーブ機器として作用するスレーブモードのうちのいずれかの通信モードを動作モードとして他の通信機器との間で通信を行なうことが可能であり、その場合、他のブルートゥース通信部に接続（通信回線の確立）を試みれば、マスターモードを動作モードとして通信を行ない、一方、他のブルートゥース通信部から接続を試みられれば、スレーブモードを動作モードとして通信を行なう。
【００１１】
したがって、このような場合であれば、通常の使用形態を想定すると、ユーザは、携帯電話機５１を車室内に持込み、キーパッド５４の所定のキー操作をすることによって、ハンズフリー装置６１との間の接続を試みることから、ハンズフリー装置６１に接続を試みた携帯電話機５１がマスター機器として作用し、一方、携帯電話機５１から接続を試みられたハンズフリー装置６１がスレーブ機器として作用することになる。
【００１２】
そして、携帯電話機５１において、ＣＰＵ５７は切換え指令をブルートゥース通信部５９に出力することによって、ブルートゥース通信部５９の動作モードを切換えることが可能であり、つまりマスターモードを動作モードとしている状況では、切換え指令をブルートゥース通信部５９に出力することによって、動作モードをマスターモードからスレーブモードに切換えることが可能であり、一方スレーブモードを動作モードとしている状況では、切換え指令をブルートゥース通信部５９に出力することによって、動作モードをスレーブモードからマスターモードに切換えることが可能である。
【００１３】
また、これと同様にして、ハンズフリー装置６１において、ＣＰＵ６３は切換え指令をブルートゥース通信部６２に出力することによってブルートゥース通信部６２の動作モードを切換えることが可能であり、つまりマスターモードを動作モードとしている状況では、切換え指令をブルートゥース通信部６２出力することによって、動作モードをマスターモードからスレーブモードに切換えることが可能であり、一方、スレーブモードを動作モードとしている状況では、切換え指令をブルートゥース通信部６２に出力することによって、動作モードをスレーブモードからマスターモードに切換えることが可能である。
【００１４】
以上は、携帯電話機５１で所定のキーを操作することを条件として、動作モードの切換えを行なうように構成したものであるが、ハンズフリー装置６１で所定のキーを操作することを条件として動作モードの切換えを行なうように構成することも可能であり、また例えば計時機能を利用することによって、所定時刻や所定時間を計時したことを条件として動作モードの切換えを自動的に行なうように構成することも可能である。
【特許文献１】特開２００２−１０１１６６号公報
【発明の開示】
【発明が解決しようとする課題】
【００１５】
しかしながら、上記従来の無線通信端末装置では、無線通信端末装置のユーザーの所定のキー操作によってマスターモードとスレーブモードの切換えが行なわれ、また計時機能の利用で自動的に切換えも可能であるが、ユーザーのキー操作が必要であるという面倒さや、自動的な切換えであっても所定時刻や所定時間の計時をした条件でしか切換えができず所定時刻や所定時間を計時するまでは切換えができないという問題点を有していた。
【００１６】
本発明は上記問題点を解決するものであり、無線通信端末装置にマスター／スレーブ切換え部を搭載したことにより、携帯端末のマスター／スレーブ切換え機能の有無に関わらず自動的にマスター／スレーブ切換えが可能であり、親機が子機や携帯端末に対しマスターモードで動作可能となり複数のスレーブとなる無線通信端末と無線通信をすることができる無線通信端末装置およびその制御方法を提供することを目的とするものである。
【課題を解決するための手段】
【００１７】
本発明は上記目的を達成するために、無線通信技術を利用し音声信号の送受信を行なうと共に、携帯端末に対しマスターモードおよびスレーブモードのいずれかの動作モードで無線通信を行なう親機と子機からなる無線通信端末装置であって、マスター／スレーブ切換え部を搭載し携帯端末のマスター／スレーブ切換え機能の有無に関わらず自動的にマスター／スレーブ切換が行えることを提供する構成を備えている。
【００１８】
この構成により、親機が子機や携帯端末に対しマスターモードで動作可能となり複数のスレーブとなる無線通信端末と無線通信をすることができるという作用を達成することができる。
【発明の効果】
【００１９】
以上のように本発明によれば、無線通信技術を利用し音声信号の送受信を行なうと共に、携帯端末に対しマスターモードおよびスレーブモードのいずれかの動作モードで無線通信を行なう親機と子機からなる無線通信端末装置であって、子機および携帯端末と双方向の音声通信を行なう無線通信部と、携帯端末のマスター／スレーブ切換え機能の有無に応じて携帯端末との無線通信においてマスターモードとスレーブモードのいずれかの動作モードを切換えるマスター／スレーブ切換え部と、子機や携帯端末の登録情報を記憶する登録情報記憶部とを親機に備えた構成にしたことにより、携帯端末のマスター／スレーブ切換え機能の有無に関わらず自動的にマスター／スレーブ切換えが可能であり、親機が子機や携帯端末に対しマスターモードで動作可能となり複数のスレーブとなる無線通信端末と無線通信をすることができるという効果が得られる。
【発明を実施するための最良の形態】
【００２０】
本発明の無線通信端末装置は、無線通信技術を利用し音声信号の送受信を行なうと共に、携帯端末に対しマスターモードおよびスレーブモードのいずれかの動作モードで無線通信を行なう親機と子機からなる無線通信端末装置であって、子機および携帯端末と双方向の音声通信を行なう無線通信部と、携帯端末のマスター／スレーブ切換え機能の有無に応じて携帯端末との無線通信においてマスターモードとスレーブモードのいずれかの動作モードを切換えるマスター／スレーブ切換え部と、子機や携帯端末の登録情報を記憶する登録情報記憶部とを親機に備えた構成を有する。
【００２１】
これにより、携帯端末のマスター／スレーブ切換え機能の有無に関わらず自動的にマスター／スレーブ切換えが可能であり、親機が子機や携帯端末に対しマスターモードで動作可能となり複数のスレーブとなる無線通信端末と無線通信をすることができるという効果が得られる。
【００２２】
また、前記無線通信端末装置の子機を複数備えた構成を有する。
【００２３】
これにより、親機が複数の子機や携帯端末に対しマスターモードで動作可能となり複数のスレーブとなる無線通信端末と無線通信をすることができるという効果が得られる。
【００２４】
本発明の無線通信端末装置制御方法は、無線通信技術を利用し音声信号の送受信を行なうと共に、携帯端末に対しマスターモードおよびスレーブモードのいずれかの動作モードで無線通信を行なう親機と子機からなる無線通信端末装置において、子機および携帯端末と双方向の音声通信を行なう無線通信ステップと、携帯端末のマスター／スレーブ切換え機能の有無に応じて携帯端末との無線通信においてマスターモードとスレーブモードのいずれかの動作モードを切換えるマスター／スレーブ切換えステップと、子機や携帯端末の登録情報を記憶する登録情報記憶ステップとを親機で行なう方法である。
【００２５】
これにより、携帯端末のマスター／スレーブ切換え機能の有無に関わらず自動的にマスター／スレーブ切換えが可能であり、親機が子機や携帯端末に対しマスターモードで動作可能となり複数のスレーブとなる無線通信端末と無線通信をすることができるという効果が得られる。
【実施例】
【００２６】
以下、本発明の実施例における無線通信端末装置およびその制御方法について、図面を参照しながら説明する。
【００２７】
（実施例１）
図1は本発明の実施例１の無線通信端末装置のブロック図である。
【００２８】
図１において、本発明の無線通信端末装置１は、回線３１に接続された親機２と、この親機２に登録され双方向に音声通信可能な子機３とで構成され、携帯端末４とも双方向に音声通信可能な構成である。
【００２９】
親機２は、子機３および携帯端末４と双方向に音声通信を行なう無線通信部６と、回線３１を通じて外部と通話（外線通話）を行なう通話回路部１３と、スピーカーホン通話をするためスピーカー／マイク１５を含むスピーカーホン通話部１２と、外部と通話するためのダイヤル等の操作をするための操作部８と、ＬＣＤ等で構成されダイヤルした電話番号や相手の名前や同じく着信時の相手電話番号や名前を表示したりする表示部９と、予め電話番号や名前等を登録する電子電話帳１０と、子機３や携帯端末４が親機２に登録されたときの情報を保存しておく登録情報記憶部１１と、携帯端末４との無線通信においてマスターモードとスレーブモードのいずれかの動作モードを切換えるマスター／スレーブ切換え部１４と、このマスター／スレーブ切換え部１４は親機２が携帯端末４に無線通信の接続要求をする接続部１６と、携帯端末４が親機２に登録されている場合は無条件に接続要求を携帯端末４に許可応答し、登録されていない場合は携帯端末４からの接続要求がマスター／スレーブ切換え要求の有無により許可応答する接続応答部１７と、携帯端末４に対してマスター／スレーブの切換え指示を制御するマスター／スレーブ切換え制御部１８とを持ち、ＣＰＵやＲＡＭやＲＯＭ等で構成され親機２の全体制御をする制御部５と、通話するための受話器７により構成される。
【００３０】
子機３は、親機２と双方向に音声通信を行なう無線通信部１９と、親機２との内線通話や親機２を介して外部と通話するための通話部２３と、通話するためのダイヤル等の操作をするための操作部２０と、ＬＣＤ等で構成されダイヤルした電話番号や相手の名前や同じく着信時の相手電話番号や名前を表示したりする表示部２１と、親機２から送られてくる着信音や保留音等の音声出力をするスピーカー２４と、ＣＰＵやＲＡＭやＲＯＭ等で構成され子機３の全体制御をする制御部２２により構成される。
【００３１】
携帯端末４は、親機２と双方向に音声通信を行なう無線通信部２５と、外部の携帯ネットワークと接続でき通話（外線通話）を行なう通話部２９と、通話するためのダイヤル等の操作をするための操作部２６と、ＬＣＤ等で構成されダイヤルした電話番号や相手の名前や同じく着信時の相手電話番号や名前を表示したりする表示部２７と、通話をするためスピーカー／マイク３０と、ＣＰＵやＲＡＭやＲＯＭ等で構成され携帯端末４の全体制御をする制御部２８により構成される。
【００３２】
以上のように構成された無線通信端末装置の動作について説明する。
【００３３】
複数の無線通信端末が無線通信を行なう場合マスターおよびスレーブという概念が存在するものがあり、例えば、ある無線通信端末に接続（無線通信のリンクを張る）を試みた無線通信端末がマスターとして作用し、一方接続を試みられた無線通信端末がスレーブとして作用するように規定され、その一つとしてブルートゥースの通信規格があり本発明はブルートゥースの通信規格にも適応する。
【００３４】
図２は、本発明の実施例１の無線通信端末装置の登録動作およびマスター／スレーブ切換え動作を示すフローチャートある。
【００３５】
まず、親機２と携帯端末４が無線通信を行なうには登録動作が必要となり、この登録動作が完了していればその後の接続はＰＩＮコード入力等の操作は不必要となる。
【００３６】
その登録動作は、親機２のマスター／スレーブ切換え制御部１８がスレーブ機能をオンし（ステップＳ２１）、親機２が携帯端末４から接続要求を受けると（ステップＳ２２）、親機２の接続応答部１７が携帯端末４に対して接続応答し、ブルートゥースの通信規格にしたがって携帯端末４はマスターモード、親機２はスレーブモードで接続状態を継続し（ステップＳ２３）、親機２と携帯端末４の間でお互いの認証をするためにＰＩＮコード等を入力し無線通信部６が認証動作を実施してリンクキーが生成され、制御部５は登録情報記憶部１１にリンクキーなどの登録情報を保存する（ステップＳ２４）。
【００３７】
そして、親機２の登録情報記憶部１１に登録が完了すると、親機２はマスター／スレーブ切換えを行なうために携帯端末４との無線通信のリンクを一旦切断し（ステップＳ２５）、今度は親機２から携帯端末４に対して接続を要求する（ステップＳ２６）。
【００３８】
携帯端末４は、親機２からの接続要求に対して接続応答し（ステップＳ２７）、親機２がマスターモード、携帯端末４がスレーブモードとして無線通信のリンクを張り（ステップＳ２８）、音声通信ができる状態となる。
【００３９】
次に、親機２に携帯端末４は既に登録が完了している状態で、携帯端末４がマスター／スレーブ切換え機能を有する場合と有しない場合の接続動作について説明する。
【００４０】
図３は本発明の実施例１の無線通信端末装置のマスター／スレーブ切換え機能を有する携帯端末からの接続動作を示すフローチャートである。
【００４１】
まず、親機２のマスター／スレーブ切換え制御部１８がスレーブ機能をオフし（ステップＳ３１）、親機２がマスター／スレーブ切換え機能を有する携帯端末４からマスター／スレーブ切換可の指示が付いた接続要求を無線通信部６が受けると（ステップＳ３２）、親機２の接続応答部１７は携帯端末４に対し既に登録状態であるので無条件に接続要求を受け、親機２のマスター／スレーブ切換え制御部１８は携帯端末４がマスター／スレーブ切換え機能を有するのでマスター／スレーブ切換要求の指示を制御し、親機２はその指示を付けて許可応答する（ステップＳ３３）。
【００４２】
携帯端末４は、このマスター／スレーブ切換え要求の指示を受け付けて、親機２がマスターモード、携帯端末４はスレーブモードとして無線通信のリンクを張る（ステップＳ３４）。
【００４３】
ステップＳ３４で無線通信のリンクが張れると、親機２と携帯端末４の間でお互いの認証をするために無線通信部６が自動的にリンクキーを交換する認証動作を実施し（ステップＳ３５）、例えば携帯端末４とカーキットが接続されている場合は、ハンズフリープロファイル規定にしたがってハンズフリー機能の確立を開始して（ステップＳ３６）、音声通信の準備が完了する（ステップＳ３７）。
【００４４】
なお、ステップＳ３６では携帯端末４とカーキットとの接続を想定しハンズフリー機能の確立としているが、ブルートゥースの通信規格を搭載した携帯端末４においてはヘッドセット端末との接続も想定され、ヘッドセット端末とはヘッドセットプロファイル規定にしたがって接続する。
【００４５】
図４は本発明の実施例１の無線通信端末装置のマスター／スレーブ切換え機能を有しない携帯端末からの接続動作を示すフローチャートである。
【００４６】
まず、親機２のマスター／スレーブ切換え制御部１８がスレーブ機能をオフし（ステップＳ４１）、親機２がマスター／スレーブ切換え機能を有しない携帯端末４からマスター／スレーブ切換不可の指示が付いた接続要求を無線通信部６が受けると（ステップＳ４２）、親機２の接続応答部１７は携帯端末４がマスター／スレーブ切換え機能を有しないため接続を拒否する（ステップＳ４３）。
【００４７】
ステップＳ４３で親機２の接続応答部１７が接続を拒否すると、親機２のマスター／スレーブ切換え制御部１８はマスター／スレーブ切換えの制御を不可にし、親機２から携帯端末４に対して接続を要求し（ステップＳ４４）、この接続要求に対して携帯端末４は親機２に接続応答し（ステップＳ４５）、親機２がマスターモード、携帯端末４はスレーブモードとして無線通信のリンクを張る（ステップＳ４６）。
【００４８】
ステップＳ４６で無線通信のリンクが張れると、親機２と携帯端末４の間でお互いの認証をするために無線通信部６が自動的にリンクキーを交換する認証動作を実施し（ステップＳ４７）、例えば携帯端末４とカーキットが接続されている場合は、ハンズフリープロファイル規定にしたがってハンズフリー機能の確立を開始して（ステップＳ４８）、音声通話の準備が完了する（ステップＳ４９）。
【００４９】
ここで、前記ステップにおいて、登録情報記憶ステップは親機２と携帯端末４の間でお互いの認証をするために無線通信部６が自動的にリンクキーを交換する認証動作を実施して、制御部５が登録情報記憶部１１に登録情報を保存するステップＳ２４で、マスター／スレーブ切換えステップは、親機２はマスター／スレーブ切換えを行なうために携帯端末４との無線通信のリンクを一旦切断するステップＳ２５と、今度は親機２から携帯端末４に対して接続を要求するステップＳ２６と、親機２のマスター／スレーブ切換え制御部１８がスレーブ機能をオフするステップＳ３１と、親機２の接続応答部１７は携帯端末４に対し既に登録状態であるので無条件に接続要求を受け、親機２のマスター／スレーブ切換え制御部１８は携帯端末４がマスター／スレーブ切換え機能を有するのでマスター／スレーブ切換要求を指示を制御し、親機２はその指示を付けて許可するステップＳ３３と、親機２のマスター／スレーブ切換え制御部１８がスレーブ機能をオフするステップＳ４１と、親機２の接続応答部１７は携帯端末４がマスター／スレーブ切換え機能を有しないため接続を拒否するステップＳ４３と、このステップＳ４３で親機２の接続応答部１７が接続を拒否すると、親機２のマスター／スレーブ切換え制御部１８はマスター／スレーブ切換えの制御を不可にするステップＳ４４で、無線通信ステップは、親機２が携帯端末４から接続要求を受けるステップＳ２２と、ブルートゥースの通信規格にしたがって携帯端末４はマスターモード、親機２はスレーブモードで接続状態を継続するステップＳ２３と、親機２から携帯端末４に対して接続を要求するステップＳ２６と、携帯端末４は、親機２からの接続要求に対して接続応答するステップＳ２７、Ｓ４５と、親機２がマスターモード、携帯端末４がスレーブモードとして無線通信のリンクを張るステップＳ２８、Ｓ３４、Ｓ４６と、親機２がマスター／スレーブ切換え機能を有する携帯端末４からマスター／スレーブ切換の指示が付いた接続要求を無線通信部６が受けるステップＳ３２、Ｓ４２と、親機２と携帯端末４の間でお互いの認証をするために無線通信部６が自動的にリンクキーを交換する認証動作を実施するステップＳ３５、Ｓ４７である。
【００５０】
以上のように本実施例１によれば、無線通信技術を利用し音声信号の送受信を行なうと共に、携帯端末４に対しマスターモードおよびスレーブモードのいずれかの動作モードで無線通信を行なう親機２と子機３からなる無線通信端末装置１であって、子機３および携帯端末４と双方向の音声通信を行なう無線通信部６と、携帯端末４のマスター／スレーブ切換え機能の有無に応じて携帯端末との無線通信においてマスターモードとスレーブモードのいずれかの動作モードを切換えるマスター／スレーブ切換え部１４と、子機３や携帯端末４の登録情報を記憶する登録情報記憶部１１とを親機２に有することにより、携帯端末４のマスター／スレーブ切換え機能の有無に関わらず自動的にマスター／スレーブ切換えが可能であり、親機２が子機３や携帯端末４に対しマスターモードで動作可能となり複数のスレーブとなる無線通信端末と無線通信をすることができる。
【００５１】
なお、無線通信端末装置１に複数の子機３が登録された構成でもよい。
【００５２】
また上述の通り、無線通信端末装置としてハードウェア的に実現できることは勿論のこと、「ステップ」として把握しコードレス電話装置の制御方法としてソフトウェア的に実現することもできることは明らかである。
【産業上の利用可能性】
【００５３】
以上のように本発明の無線通信端末装置およびその制御方法は、無線通信技術を利用し音声信号の送受信を行なうと共に、携帯端末に対しマスターモードおよびスレーブモードのいずれかの動作モードで無線通信を行なう親機と子機からなる無線通信端末装置であって、携帯端末のマスター／スレーブ切換え機能の有無に関わらず自動的にマスター／スレーブ切換えが可能であり、親機が子機や携帯端末に対しマスターモードで動作可能となり複数のスレーブとなる無線通信端末と無線通信をすることができるという効果を有し、様々な携帯端末と連携する無線通信端末装置の利用方法として有用である。
【図面の簡単な説明】
【００５４】
【図１】本発明の実施例１の無線通信端末装置のブロック図
【図２】本発明の実施例１の無線通信端末装置の登録動作およびマスター／スレーブ切換え動作を示すフローチャート
【図３】本発明の実施例１の無線通信端末装置のマスター／スレーブ切換え機能を有する携帯端末からの接続動作を示すフローチャート
【図４】本発明の実施例１の無線通信端末装置のマスター／スレーブ切換え機能を有しない携帯端末からの接続動作を示すフローチャート
【図５】従来の無線通信端末装置のブロック図
【符号の説明】
【００５５】
１    無線通信端末装置
２    親機
３    子機
４    携帯端末
５，２２，２８    制御部
６，１９，２５    無線通信部
７    受話器
８，２０，２６    操作部
９，２１，２７    表示部
１０    電子電話帳
１１    登録情報記憶部
１２    スピーカーホン通話部
１３    通話回路部
１４    マスター／スレーブ切換え部
１５，３０    スピーカー／マイク
１６    接続部
１７    接続応答部
１８    マスター／スレーブ切換え制御部
２３，２９    通話部
２４    スピーカー
３１    回線
【図１】
2006197452.tif 000003
【図２】
2006197452.tif 000004
【図３】
2006197452.tif 000005
【図４】
2006197452.tif 000006
【図５】
2006197452.tif 000007